(57)【要約】【課題】インターホンの通話中であっても、呼出音や設定音の増幅専用の増幅回路やスピーカを用いることなく、また通話音量の設定に関らず、予め定めた一定の音量で呼出音や設定音を鳴動する。【解決手段】呼出音や設定音の音声データファイルを音量ごとに複数持ち、それぞれの音量設定の値から音声データファイルを選択し、あるいは音量設定の値に通話音量設定の値に基づく増幅率を割り引いた音量の音声データファイルを選択し、スピーカから音データを出力する。【選択図】図１
2015082674.tif 000002
【特許請求の範囲】
【請求項１】
インターホン子機と、インターホン親機と、を備えたインターホンシステムにおいて、
前記インターホン親機は、呼出音データや設定音データ等のプリセット音をデジタル音声フォーマットを用いた電子データとして保存するものであって、
前記プリセット音データは同一の内容で音量のみを可変した複数のデータを予め記憶しており、
前記インターホン親機は、前記プリセット音データの音量をプリセット音ごとに設定する操作部と、前記プリセット音と前記設定された音量を記憶する記憶部を有し、
前記インターホン親機は、前記プリセット音を出力する動作が発生すると、前記操作部で設定した音量に対応するプリセット音データを読出して鳴動する親機ＣＰＵを備えたことを特徴とするインターホン装置。
【請求項２】
前記インターホン親機は、通話音の音量を設定する操作部と、操作部で設定された音量に通話音量を増幅する増幅部を有し、
前記インターホン親機の親機ＣＰＵは、通話中に前記プリセット音を出力する動作が発生すると、前記操作部で設定した音量から前記増幅部の増幅量を割り引いたプリセット音データを読出して鳴動することを特徴とするインターホン装置。
【発明の詳細な説明】
【技術分野】
【０００１】
本発明は、呼出時に数秒間鳴動する「ピンポン」等の呼出音、機器を操作した時に１秒未満の短時間鳴動する「ピッ」等の操作音を可変することができるインターホンシステムに関するものである。
【背景技術】
【０００２】
通常の待受け時において、呼出音・設定音は音データを再生し、ボリュームで音量を調整した後、スピーカーアンプで増幅してスピーカに出力を行なう。ところが、通話中においては、通話音と呼出音・設定音を混合した後に増幅回路で増幅量をボリュームを用いて調整するため、通話中は呼出音量・設定音量は通話音量に比例して変化してしまう。
【０００３】
この対策として、特許文献１の第２図及び第３図に示すように、複数の増幅回路を用い、それぞれ増幅した後に別々のスピーカ（ＳＰＡ、３０２）からそれぞれ出力する方策が考えられてきた。
【先行技術文献】
【特許文献】
【０００４】
【特許文献１】特開平２−２６８０５５号公報
【発明の概要】
【発明が解決しようとする課題】
【０００５】
しかし、特許文献１の方策では、複数のスピーカ、複数のスピーカアンプを備えることからコストアップの要因となるとともに、機器が大型化してしまい、美観的にも問題となっていた。
【課題を解決するための手段】
【０００６】
本発明は、上述の難点を解消するためになされたもので、呼出音や設定音の音声データを、音量ごとに複数のデジタルデータのファイルとして予め記憶部に保存し、設定された音量に対応する音声データを記憶部から読み出すものである。
【発明の効果】
【０００７】
本発明のインターホンシステムによれば、呼出音、設定音はボリュームで調整することなく事前に音量調整を行なった音声データの中から適切な音量のものを選択して合成するため、通話中の呼出や設定等の複合動作でも適切な音量で呼出・設定音を鳴動することができる。
【０００８】
また、本発明のインターホンシステムによれば、呼出音、設定音の音声データの選択時に、通話音の音量調整値を予め考慮に入れて選択することで、音量操作部の入力側で呼出音、設定音と通話音声を合成したとしても、適切な音量で呼出・設定音を鳴動することができる。
【図面の簡単な説明】
【０００９】
【図１】図１は、本発明のインターホンシステムにおけるインターホン親機及びインターホン子機の具体的な構成を示すブロック図である。
【発明を実施するための形態】
【００１０】
以下、本発明のインターホンシステムを適用した最良の実施の形態例について、図面を参照して説明する。図１は、本発明の玄関及び室内における一実施例によるインターホンシステムのブロック図であり、住戸外に設置され来訪者が住戸内の在室者を呼出して通話を行う第１、第２のインターホン子機１ａ、１ｂと、住戸内に設置され来訪者からの呼出しに応答した在室者が通話を行うインターホン親機２とを備えており、インターホン子機１ａ、１ｂとインターホン親機２とは、ＬＡＮ等の汎用ネットワークＬでそれぞれ接続されている。
【００１１】
インターホン子機１ａ、１ｂは、いずれも同一の構成であり、住戸玄関に居る来訪者が住戸内に在室中の居住者との通話を成立させるための送話音を収音する子機マイク１３ａ、１３ｂと、受話音を放音する子機スピーカ１２ａ、１２ｂと、インターホン子機１ａ、１ｂの全体の機能を制御する子機ＣＰＵ１１ａ、１１ｂと、来訪者が呼出時に操作する呼出ボタン等の子機操作部１４ａ、１４ｂと、来訪者の映像を撮像するカメラ１６ａ、１６ｂと、インターホン子機１ａ、１ｂと汎用ネットワークＬとのインターフェースとなる子機通信ＩＦ１０ａ、１０ｂとを備えている。
【００１２】
子機ＣＰＵ１１ａ、１１ｂは、子機マイク１３ａ、１３ｂに収音された送話音を増幅して汎用ネットワークＬに送出するとともに、インターホン親機２から汎用ネットワークＬを介して伝送されてくる受話音をなす音声信号を子機スピーカ１２ａ、１２ｂに送出し、さらにはカメラ１６ａ、１６ｂで撮像された映像を汎用ネットワークＬに送出し、子機操作部１４ａ、１４ｂからの呼出信号を汎用ネットワークＬに送出する機能を有している。
【００１３】
インターホン親機２は、子機操作部１４ａ、１４ｂからの呼出信号に応じて鳴動する呼出音のデータをデジタル音声信号として保存する親機記憶部２６と、呼出音及びインターホン子機１ａ、１ｂから送信された送話音を増幅する親機受話アンプ２７と、親機受話アンプ２７で増幅された呼出音及びインターホン子機１ａ、１ｂから送信された送話音を放音する親機スピーカ２２と、カメラ１６ａ、１６ｂで撮像された映像や、通話音量調整等の各種設定内容を表示する親機ディスプレイ２５と、住戸内に在室中の居住者が住戸玄関に居る来訪者との通話を成立させるための受話音を収音する親機マイク２３と、子機操作部１４ａ、１４ｂからの呼出信号に応答して通話を開始するために操作する通話ボタン２４ａと、各種設定内容を設定するために親機ディスプレイ２５の前面に配置されたタッチパネル２４ｃと、インターホン親機２の全体の機能を制御する親機ＣＰＵ２１と、インターホン親機２と汎用ネットワークＬとのインターフェースとなる親機通信ＩＦ２０とを備えている。
【００１４】
親機ＣＰＵ２１は、親機マイク２３に収音された受話音を増幅して親機通信ＩＦ２０に送出するとともに、インターホン子機１ａ、１ｂから親機通信ＩＦ２０を介して伝送されてくる送話音をなす音声信号を親機受話アンプ２７に送出し、さらにはカメラ１６ａ、１６ｂで撮像された映像を親機ディスプレイ２５に送出し、タッチパネル２４ｃの操作により呼出音、設定音、通話音の音量を設定し、設定された内容を親機記憶部２６に記憶し、子機操作部１４ａ、１４ｂからの呼出信号をトリガとして、設定された呼出音に適合する音量の音声データを送話音に適宜混合して親機受話アンプ２７に送出するとともに、タッチパネル２４ｃの操作をトリガとして、設定された操作音に適合する音量の音声データを送話音に適宜混合して親機受話アンプ２７に送出する機能を有している。
【００１５】
また、親機記憶部２６では、呼出音、設定音、通話音の音量を記憶するとともに、呼出音、設定音についてはそれぞれの音量のみを可変した複数の音声データ、例えば１０種類の音声データを電子データとして保存している。
【００１６】
なお、音声データについては、ＡＶＩ、ＡＡＣフォーマット等の汎用のデジタル音声フォーマットを使用することができる。
【実施例１】
【００１７】
次に、このように構成された本発明の一実施例によるインターホンシステムの動作について説明する。
【００１８】
図１において、先ず、待受状態においては、親機マイク２３、親機スピーカ２２、子機マイク１３ａ、１３ｂ、子機スピーカ１２ａ、１２ｂいずれも不能動であり、音声の送受はなされていない。この状態において、住戸内に在室中の居住者がタッチパネル２４ｃをタッチすると、タッチパネル２４ｃの操作を検出した親機ＣＰＵ２１は、親機ディスプレイ２５を起動させて各種設定を能動とするとともに、親機記憶部２６から設定音の音量調節値を読み出し、さらに当該調節値に適合する設定音量の音声データを読み出してアンプ２７に送信する。アンプ２７では、予め定められた所定の増幅率で音声データを増幅し、親機スピーカ２２にて設定音が放音される。
【００１９】
親機ディスプレイ２５には呼出音、設定音、通話音の現在の設定された音量が表示されている。これらの設定内容は親機記憶部２６から読み出され、タッチパネル２４ｃを操作することにより設定内容を変更することができる。変更された設定内容は、親機ＣＰＵ２１の制御により親機記憶部２６に上書き記憶される。
【実施例２】
【００２０】
次に、第１のインターホン子機１ａから呼出があり、通話中に第２のインターホン子機１ｂから呼出があった場合について説明する。
【００２１】
住戸玄関に居る来訪者により第１のインターホン子機１ａの子機操作部１４ａが操作されると、子機操作部１４ａの操作を検知した子機ＣＰＵ１１ａは、呼出信号を送出する。呼出信号は、子機通信ＩＦ１０ａ、汎用ネットワークＬ、親機通信ＩＦ２０を介して親機ＣＰＵ２１に到達する。さらに、子機ＣＰＵ１１ａは、カメラ１６ａに撮像開始を指示し、カメラ１６ａにより撮像された住戸玄関近傍の映像信号は、呼出信号と同様に送出される。
【００２２】
呼出信号を受信した親機ＣＰＵ２１は、親機記憶部２６から呼出音の音量調節値を読み出し、さらに当該調節値に適合する呼出音量の音声データを読み出してアンプ２７に送信する。アンプ２７では、予め定められた所定の増幅率で音声データを増幅し、親機スピーカ２２にて呼出音が放音される。
【００２３】
また、映像信号を受信した親機ＣＰＵ２１は、親機ディスプレイ２５に映像信号を送信することにより、親機ディスプレイ２５には住戸玄関近傍の映像が表示される。
【００２４】
住戸内に在室中の居住者が呼出音及び映像で来客を確認した後、通話ボタン２４ａを操作すると、通話ボタン２４ａの操作を検出した親機ＣＰＵ２１は、親機マイク２３を能動とするとともに、子機ＣＰＵ１１ａに子機マイク１３ａ、子機スピーカ１２ａを能動とするよう指示し、第１のインターホン子機１ａとインターホン親機２の双方向通話が可能となる。また、親機ＣＰＵ２１は、親機記憶部２６から通話音の音量調節値を読み出し、アンプ２７に通知する。
【００２５】
例えば、通話音量が「中」であればアンプ２７は所定の増幅率で増幅するが、ここでは、通話音量の設定値が通常よりも小さく、アンプ２７の増幅率は所定の増幅率よりも５０％小さい（通常の半分の音圧しか放音しない）場合について説明する。
【００２６】
第１のインターホン子機１ａとインターホン親機２の通話中に、他の住戸玄関に居る来訪者により第２のインターホン子機１ｂの子機操作部１４ｂが操作されると、子機操作部１４ｂの操作を検知した子機ＣＰＵ１１ｂは、呼出信号を送出する。呼出信号は、子機通信ＩＦ１０ｂ、汎用ネットワークＬ、親機通信ＩＦ２０を介して親機ＣＰＵ２１に到達する。さらに、子機ＣＰＵ１１ｂは、カメラ１６ｂに撮像開始を指示し、カメラ１６ｂにより撮像された住戸玄関近傍の映像信号は、呼出信号と同様に送出される。
【００２７】
呼出信号を受信した親機ＣＰＵ２１は、親機記憶部２６から呼出音の音量調節値を読み出し、さらに既に呼び出してある通話音の音量調節値で割り算を行なう。本実施例では、通話音の音量調節値が所定の値の５０％（つまり０．５）であることから、読み出した音量調節値を０．５で割った値（つまり２で掛けた値と同値）に補正し、当該補正した値に適合する呼出音量の音声データを読み出してアンプ２７に送信する。アンプ２７では、通話時の増幅率として設定された増幅率（つまり、所定の増幅率の半分）で音声データを増幅することから、待受け時と同一の音量で親機スピーカ２２にて呼出音が放音される。
【００２８】
また、設定音についても、呼出音と同様の補正を行なうことにより、待受け時と同一の音量で親機スピーカ２２にて放音される。
【００２９】
これにより、通話中であっても、スピーカの追加等の特別な作業をすることがなく、通話音量の設定値にかかわらず所定の音量で呼出音、設定音が鳴動できる。
【産業上の利用可能性】
【００３０】
なお、本実施例ではアンプ２７の増幅率を可変することにより通話音量を変動しているが、アンプの入力側、あるいは出力側に減衰器を設けて減衰させて音量を調節することも好適である。
【００３１】
また、本実施例において、操作部では音量設定のみを行なっていたが、画質設定等のその他の機能設定を行なうことも好適である。特に、通話中に画質設定を行なう場合には、設定音が聞こえやすくなり、利便性が向上する。
【符号の説明】
【００３２】
１（１ａ、１ｂ）  インターホン子機
２                インターホン親機
２１              親機ＣＰＵ
２４ｃ            操作部（タッチパネル）
２６              記憶部（親機記憶部）
２７              増幅部
【図１】
2015082674.tif 000003